Podtech/llm-jp-corpus-v4-ja_patent huggingface dataset:
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
ユーザ機器においてオーディオデータを取り出す方法であって、前記ユーザ機器はストリーミングクライアントとメタデータ抽出ユニットとを含み、前記方法は、
前記ストリーミングクライアントによって、複数の利用可能な適応セットを表す利用可能性データを含むマニフェストファイルを受信するステップであって、前記利用可能な適応セットは、シーンベースのオーディオ適応セットおよび1つまたは複数のオブジェクトベースのオーディオ適応セットを含み、前記シーンベースのオーディオ適応セットは、球面調和基底関数の係数を使用して音場を表すデータを含み、前記オブジェクトベースのオーディオ適応セットは、オーディオオブジェクトに関する位置座標を含むメタデータを含む、ステップと、
前記メタデータ抽出ユニットによって、前記ストリーミングクライアントから利用可能性データを受信するステップと、
前記メタデータ抽出ユニットによって、前記利用可能な適応セットの指標をユーザインタフェースへ送信するステップであって、前記指標は手動又は自動選択に適する、ステップと、
前記ユーザインタフェースから前記メタデータ抽出ユニットによって、前記シーンベースのオーディオ適応セットおよび前記1つまたは複数のオブジェクトベースのオーディオ適応セットのうちのどれが取り出されるべきであるかを識別する選択データを受信するステップと、
前記メタデータ抽出ユニットによって、前記選択データによって識別された前記適応セットの各々からオーディオデータを前記ストリーミングクライアントに取り出させるための命令データを前記ストリーミングクライアントに提供するステップであって、前記メタデータ抽出ユニットは、前記ストリーミングクライアントとは別個である、ステップと
を含む、方法。
【請求項２】
前記複数の利用可能な適応セットは、複数の利用可能なスケーラブルオーディオ適応セットを含み、前記複数のスケーラブルオーディオ適応セットの各々は、スケーラブルオーディオデータのそれぞれのレイヤに対応する、請求項1に記載の方法。
【請求項３】
前記ストリーミングクライアントは、第1のデータフォーマットを定めるストリーミングプロトコルに従って、前記選択データによって識別された前記適応セットの各々に関する前記データを取り出すように構成され、前記利用可能性データは、前記ストリーミングプロトコルによって定められた前記第1のデータフォーマットとは異なる第2のデータフォーマットに従ってフォーマットされる、請求項1に記載の方法。
【請求項４】
前記ストリーミングプロトコルは、動的適応ストリーミングオーバーHTTP(DASH)を含み、
前記第1のデータフォーマットは、ISOベースメディアファイルフォーマット(ISO BMFF)、前記ISO BMFFの拡張、またはMPEG-2トランスポートストリーム(MPEG-2 TS)のうちの1つを含み、
前記第2のデータフォーマットは、MPEG-H 3D Audioを含む、請求項3に記載の方法。
【請求項５】
前記選択データによって識別された前記適応セットの各々に関して取り出されるべき表現を識別するための前記命令データを形成するステップをさらに含む、請求項1に記載の方法。
【請求項６】
前記ストリーミングクライアントによって、前記命令データを受信する前に前記利用可能な適応セットの各々に関するデータを取り出すステップをさらに含む、請求項1に記載の方法。
【請求項７】
前記マニフェストファイルは、メディアプレゼンテーション記述を含む、請求項1に記載の方法。
【請求項８】
前記ストリーミングクライアントによって、前記命令データに従ってデータを取り出すことを求めるそれぞれのHTTP GET要求または部分GET要求を送るステップをさらに含む、請求項1に記載の方法。
【請求項９】
前記ストリーミングクライアントは、動的適応ストリーミングオーバーHTTP(DASH)クライアントを含む、請求項1に記載の方法。
【請求項１０】
前記ストリーミングクライアントは、ブロードキャストまたはマルチキャスト受信ユニットおよびプロキシサーバをさらに含むミドルウェアユニットに含まれ、前記方法は、前記ストリーミングクライアントによって、前記プロキシサーバからユニキャストを介して前記命令データに従って、キャッシュされたメディアデータを取り出すステップをさらに含む、請求項1に記載の方法。
【請求項１１】
オーディオデータを取り出すためのデバイスであって、
複数の利用可能な適応セットを表す利用可能性データを含むマニフェストファイルを受信するよう構成されたストリーミングクライアントであって、前記利用可能な適応セットは、シーンベースのオーディオ適応セットおよび1つまたは複数のオブジェクトベースのオーディオ適応セットを含み、前記シーンベースのオーディオ適応セットは、球面調和基底関数の係数を使用して音場を表すデータを含み、前記オブジェクトベースのオーディオ適応セットは、オーディオオブジェクトに関する位置座標を含むメタデータを含む、ストリーミングクライアントと、
前記ストリーミングクライアントから利用可能性データを受信することと、
前記利用可能な適応セットの標識をユーザインタフェースへ送信することと、
前記シーンベースのオーディオ適応セットおよび前記1つまたは複数のオブジェクトベースのオーディオ適応セットのうちのどれが取り出されるべきであるかを識別する選択データを前記ユーザインタフェースから受信することと、
前記選択データによって識別された前記適応セットの各々からオーディオデータを前記ストリーミングクライアントに取り出させるための命令データを前記ストリーミングクライアントに提供することであって、メタデータ抽出ユニットは、前記ストリーミングクライアントとは別個である、提供することと
を行うように構成された前記メタデータ抽出ユニットを実行する1つまたは複数のプロセッサと、
前記オーディオ適応セットに関する前記取り出されたデータを記憶するように構成されたメモリと
を含む、デバイス。
【請求項１２】
前記複数の利用可能な適応セットは、複数の利用可能なスケーラブルオーディオ適応セットを含み、前記複数のスケーラブルオーディオ適応セットの各々は、スケーラブルオーディオデータのそれぞれのレイヤに対応する、請求項11に記載のデバイス。
【請求項１３】
前記ストリーミングクライアントは、ヘッダデータを含むメディアデータに対する要求をサーバデバイスに送るように構成された動的適応ストリーミングオーバーHTTP(DASH)クライアントを含む、請求項11に記載のデバイス。
【請求項１４】
前記1つまたは複数のプロセッサは、MPEG-HオーディオデコーダまたはMPEG-Hオーディオデコーダのメタデータ処理ユニットを含む、請求項11に記載のデバイス。
【請求項１５】
実行されたときに、メタデータ抽出ユニットを実行するプロセッサに、請求項１乃至１０のうちいずれか一項に記載の方法を実行させる命令を記憶している、コンピュータ可読記憶媒体。
【手続補正書】
【提出日】令和1年10月15日(2019.10.15)
【手続補正１】
【補正対象書類名】特許請求の範囲
【補正対象項目名】全文
【補正方法】変更
【補正の内容】
【特許請求の範囲】
【請求項１】
光学デバイスであって、
キャッピング層、光吸収体材料の層、反射層、及び前記反射層と前記光吸収体材料の層との間のスペーサ層を積層した積層体を備え、
前記キャッピング層の屈折率が少なくとも１．６であり、
前記光吸収体材料が、前記デバイスに異なる光学特性を与える少なくとも２つの値に設定可能な複素屈折率を有する相変化材料であり、
前記スペーサ層が複数のスペーサ層副層を備え、前記スペーサ層副層の少なくとも２つが互いに異なる屈折率を有し、
前記デバイスに異なる光学特性を与える少なくとも２つの値に設定可能な複素屈折率を有する相変化材料が、前記スペーサ層と前記反射層との間に存在しない光学デバイス。
【請求項２】
前記屈折率が少なくとも１．８、好ましくは少なくとも２．０、より好ましくは少なくとも２．２である請求項１に記載のデバイス。
【請求項３】
前記キャッピング層がＴｉＯ２、ＺｎＯ、ダイヤモンド、ＳｉＯ２、Ｓｉ３Ｎ４、及びＴａＯの少なくとも１つを備える請求項１又は２に記載のデバイス。
【請求項４】
前記キャッピング層と前記反射層の間にスペーサ層を更に備える請求項１〜３のいずれかに記載のデバイス。
【請求項５】
前記光吸収体層の厚さが少なくとも１０ｎｍである請求項１〜４のいずれかに記載のデバイス。
【請求項６】
光学デバイスであって、
キャッピング層、光吸収体材料の層、光学活性材料の層、反射層、及び前記反射層と前記光吸収体材料の層との間のスペーサ層を積層した積層体を備え、
前記光吸収体材料が、前記デバイスに異なる光学特性を与える少なくとも２つの値に設定可能な複素屈折率を有する相変化材料であり、
前記スペーサ層が複数のスペーサ層副層を備え、前記スペーサ層副層の少なくとも２つが互いに異なる屈折率を有し、
前記デバイスに異なる光学特性を与える少なくとも２つの値に設定可能な複素屈折率を有する相変化材料が、前記スペーサ層と前記反射層との間に存在しない光学デバイス。
【請求項７】
前記光学活性材料の屈折率を電圧の印加により変化させることを可能にするために電極が設けられている請求項６に記載のデバイス。
【請求項８】
前記光学活性材料が液晶材料であり、前記積層体が更に偏光子層を備える請求項６又は７に記載のデバイス。
【請求項９】
前記液晶材料層が３００ｎｍ未満の厚さである請求項８に記載のデバイス。
【請求項１０】
前記光学活性材料が電気光学活性材料である請求項６又は７に記載のデバイス。
【請求項１１】
前記電気光学活性材料層が１００ｎｍ未満の厚さである請求項１０に記載のデバイス。
【請求項１２】
前記キャッピング層が複数のキャッピング層副層を備え、前記キャッピング層副層の少なくとも２つが互いに異なる屈折率を有する請求項１〜１１のいずれかに記載のデバイス。
【請求項１３】
前記光吸収体材料が、ＧｅＳｂＴｅ、ＶＯｘ、ＮｂＯｘ、ＧｅＴｅ、ＧｅＳｂ、ＧａＳｂ、ＡｇＩｎＳｂＴｅ、ＩｎＳｂ、ＩｎＳｂＴｅ、ＩｎＳｅ、ＳｂＴｅ、ＴｅＧｅＳｂＳ、ＡｇＳｂＳｅ、ＳｂＳｅ、ＧｅＳｂＭｎＳｎ、ＡｇＳｂＴｅ、ＡｕＳｂＴｅ、及びＡｌＳｂの組合せのリストから選択される元素の組み合わせに係る化合物又は合金を備える請求項１〜１２のいずれかに記載のデバイス。
【請求項１４】
受動光吸収体材料の層を更に備える請求項１〜１３のいずれかに記載のデバイス。
【請求項１５】
前記受動光吸収体材料の層が金属性である請求項１４に記載のデバイス。
【請求項１６】
前記受動光吸収体材料の層が相変化材料を含まない請求項１４又は１５に記載のデバイス。
【請求項１７】
前記キャッピング層が複数のキャッピング層副層を備え、前記キャッピング層副層の少なくとも２つが互いに異なる屈折率を有し、且つ前記受動光吸収体材料の層が前記キャッピング層副層の２つに挟まれて前記キャッピング層内に設けられ、又は前記受動光吸収体材料の層が前記キャッピング層に直接的に隣接して設けられる請求項１４〜１６のいずれかに記載のデバイス。
【請求項１８】
前記受動光吸収体材料の層が前記スペーサ層副層の２つに挟まれて前記スペーサ層内に設けられ、又は前記受動光吸収体材料の層が前記スペーサ層に直接的に隣接して設けられる請求項１４〜１７のいずれかに記載のデバイス。
【請求項１９】
前記反射層が部分的に反射性であり且つ前記デバイスが透過性であり、又は前記反射層が全体的に反射性である請求項１〜１８のいずれかに記載のデバイス。
【請求項２０】
前記層の１つ以上が、入射光に対する前記デバイスのスペクトル応答を決定する光学キャビティを備える請求項１〜１９のいずれかに記載のデバイス。
【請求項２１】
前記積層体が、複数の異なる領域において入射光に対して対応する複数の異なるスペクトル応答をもたらすように構成される請求項１〜２０のいずれかに記載のデバイス。
【請求項２２】
少なくとも部分的に、前記領域の少なくとも一部が一連の異なる層及び／又は１つ以上の対応する層の異なる厚さを有するように前記領域の少なくとも一部を構成することによって、前記異なるスペクトル応答がもたらされる請求項２１に記載のデバイス。
【請求項２３】
少なくとも部分的に、前記光吸収体材料の層が異なる相にスイッチングされるように前記領域の少なくとも一部を構成することによって、前記異なるスペクトル応答がもたらされる請求項２１又は２２に記載のデバイス。
【請求項２４】
前記デバイスが、前記複数の異なるスペクトル応答を用いてホログラフィック効果をもたらすように構成される請求項２１〜２３のいずれかに記載のデバイス。
【請求項２５】
請求項１〜２４のいずれかに記載の光学デバイスを備えるディスプレイ、カラーディスプレイ、セキュリティ標識、カラーフィルタ、装飾層、スペクトロメータ、又は窓。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
装置の外部のオブジェクトによって生成された少なくとも一つの電界および／または磁界の強度をワイヤレスに測定するための装置であって、
複数のパラメータのうちの少なくとも一つのパラメータを測定するように構成された１つまたは複数の音響波センサまたはセンサタグデバイスと、
前記少なくとも一つの電界および／または磁界と相互作用し、電圧を生成するように動作可能な少なくとも１つのフィールドプローブと、
前記少なくとも一つのフィールドプローブによって生成された電圧に応答するインピーダンスを生成するように構成された少なくとも１つのトランジスタと、
前記１つまたは複数の音響波センサまたはセンサタグデバイスを活性化するための無線周波数信号を受信し、前記１つまたは複数の音響波センサデバイスにおける音響波の伝搬によって生じた遅延の後に、無線周波数応答信号を送信するように構成された１つまたは複数のアンテナと、を備え、
前記１つまたは複数の音響波センサまたはセンサタグデバイスは密閉封入されたパッケージアセンブリ内に搭載されており、これによって前記少なくとも一つの電界が前記１つまたは複数の音響波センサまたはセンサタグデバイスを横断して確立されるのを防ぐ、装置。
【請求項２】
前記トランジスタが電界効果トランジスタ（ＦＥＴ）である、請求項１に記載の装置。
【請求項３】
前記ＦＥＴのドレンおよびソースは、前記１つまたは複数の音響波デバイスにおける少なくとも１つのトランスデューサに電気的に接続され、
前記少なくとも１つのフィールドプローブによって生成された前記電圧は、前記ＦＥＴのゲートと前記ソースとの間の前記ＦＥＴのゲートへ印加される、請求項２に記載の装置。
【請求項４】
前記オブジェクトは、ある電圧で導電体であり、
前記導電体の周囲の前記少なくとも一つの電界の強度を測定するために、前記少なくとも１つのフィールドプローブは、前記導電体から異なる半径方向距離に配置された２つの導電性オブジェクトを備える、請求項１に記載の装置。
【請求項５】
前記オブジェクトはＡＣ電流を伝送する導電体であり、
前記磁界の強度を、前記導電体を通過する電流として測定するために、前記少なくとも１つのフィールドプローブは、前記導電体を含むループの面に配置された１つまたは複数の導電性ループを備える、請求項１に記載の装置。
【請求項６】
前記オブジェクトはＡＣ電流を伝送する導電体であり、
前記１つまたは複数の導電性ループは、Ｒｏｇｏｗｓｋｉコイルをさらに備える、請求項５に記載の装置。
【請求項７】
前記オブジェクトはＡＣ電流を伝送する導電体であり、
前記磁界の強度を、前記導電体を通過する電流として測定するために、前記少なくとも１つのフィールドプローブは、電流トランスデューサ（ＣＴ）を備える、請求項１に記載の装置。
【請求項８】
電界および／または磁界の強度をワイヤレスに測定するためのシステムであって、
請求項１に記載の電界および／または磁界の強度をワイヤレスに測定するための１つまたは複数の装置と、
前記１つまたは複数の装置を活性化するために無線周波数信号を送信し、前記１つまたは複数の装置からデータを収集し、前記システムの外部のオブジェクトによって生成された前記少なくとも一つの電界及び／又は磁界の強度の測定を生み出すために前記データを解釈するように動作可能な少なくとも１つのワイヤレスリーダと、を備えるシステム。
【請求項９】
導電体によって伝送された電流および電圧をワイヤレスに測定するためのシステムであって、
請求項１に記載の電界の強度をワイヤレスに測定するための少なくとも１つの装置と、
請求項１に記載の磁界の強度をワイヤレスに測定するための少なくとも１つの装置とを備え、
前記装置は、ワイヤレス通信のために１つの共有されたアンテナを利用してよく、
前記装置は、１つの共有された音響波デバイスを利用してよく、
前記装置は、１つまたは複数のワイヤレスリーダによって監視され得る、システム。
【請求項１０】
ＳＡＷセンサの遠隔活性化および読取のためのアンテナであって、
磁気共鳴をその間に生成するように動作可能な磁気結合素子の少なくとも１つのペアを備え、
磁気結合素子の前記少なくとも１つのペアは、導電性材料に浸漬されたＳＡＷデバイスへ、および、導電性材料に浸漬されたＳＡＷデバイスから、エネルギーおよびデータを伝達することができる、アンテナ。
【請求項１１】
前記１つまたは複数の音響波センサまたはセンサタグデバイスが、無線周波数活性化信号を受信し、測定された前記少なくとも一つのパラメータによって変調された無線周波数応答信号を生成するように構成されており、
前記１つまたは複数の音響波センサまたはセンサタグデバイスが、
ＲＦ活性化信号に応答して音響波を発生させる少なくとも一つのトランスデューサと、
それを横断して前記音響波が伝搬する少なくとも一つの音響波伝搬経路又は音響波チャネルと、
前記音響波と相互作用するように構成された少なくとも一つの第二のトランスデューサ又は反射体と、を含む、請求項１に記載の装置。
【請求項１２】
装置の外部のオブジェクトによって生成された電界及び磁界の両方の強度をワイヤレスに測定するための装置であって、
複数のパラメータのうちの少なくとも一つのパラメータを測定するように構成された１つまたは複数の音響波センサ又はセンサタグデバイスと、
測定された前記電界と相互作用し、電圧を生成するように動作可能な少なくとも１つのフィールドプローブと、
測定された前記磁界と相互作用し、電圧を生成するように動作可能な少なくとも１つのフィールドプローブと、
前記電界と相互作用するように動作可能な前記少なくとも一つのフィールドプローブによって生成された電圧に応答するインピーダンスを生成するように構成された少なくとも１つのトランジスタと、
前記磁界と相互作用するように動作可能な前記少なくとも一つのフィールドプローブによって生成された電圧に応答するインピーダンスを生成するように構成された少なくとも１つのトランジスタと、
前記１つまたは複数の音響波センサまたはセンサタグデバイスを活性化するための無線周波数信号を受信し、前記１つまたは複数の音響波センサデバイスにおける音響波の伝搬によって生じた遅延の後に、無線周波数応答信号を送信するように構成された１つまたは複数のアンテナと、を備える装置。
【請求項１３】
電界及び／又は磁界の強度をワイヤレスに測定するためのシステムであって、
請求項１２に記載の電界及び／又は磁界の強度をワイヤレスに測定するための１つ又は複数の装置と、
前記１つまたは複数の装置を活性化するための無線周波数信号を送信し、前記１つ又は複数の装置からデータを収集し、前記システムの外部のオブジェクトによって生成された電界及び磁界の強度の測定を生み出すために前記データを解釈するように動作可能な少なくとも１つのワイヤレスリーダと、を備えるシステム。
【手続補正書】
【提出日】令和1年10月9日(2019.10.9)
【手続補正１】
【補正対象書類名】特許請求の範囲
【補正対象項目名】全文
【補正方法】変更
【補正の内容】
【特許請求の範囲】
【請求項１】
病原体に感染している疑いがある対象から得られた生物学的サンプル中に存在する感染性病原体を検出するためのインビトロの方法であって、以下：
（ａ）吸着媒体と病原体とを含む接着性複合体を形成する条件下で、前記対象から得られた前記生物学的サンプルを前記吸着媒体に接触させること；
（ｂ）前記接着性複合体を、前記複合体中に含まれない生物学的サンプルの成分から、前記複合体を維持しながら分離すること；及び
（ｃ）前記接着性複合体の前記病原体を回収することであって、ここで、前記病原体又は前記病原体の成分は、病原体が吸着媒体上に存在する間に酵素分解を用いた後に回収されること；
を含む、方法。
【請求項２】
前記酵素分解が、タンパク分解である、請求項１に記載の方法。
【請求項３】
前記生物学的サンプルが、全血、血清、血漿、尿、糞便、痰、涙液、唾液、気管支洗浄液、他の体液、及びそれらの組合せからなる群から選択される、請求項１に記載の方法。
【請求項４】
前記吸着媒体が、その表面上に少なくとも１つの多糖類吸着剤を有する高表面積の固体基材である、請求項１に記載の方法。
【請求項５】
前記少なくとも１つの多糖類吸着剤が、エンドポイント結合によって、前記固体基材の表面に結合している、請求項４に記載の方法。
【請求項６】
前記固体基材が、複数の硬質のポリマービーズを含む、請求項５に記載の方法。
【請求項７】
前記複数の硬質のポリマービーズが、硬質のポリエチレンビーズである、請求項７に記載の方法。
【請求項８】
前記複数の硬質のポリマービーズが、装置内に収容される、請求項６に記載の方法。
【請求項９】
前記吸着媒体が浸潤棒へ固定されるか、又は浸潤棒内へ設定され；又は前記吸着媒体が、金属、セルロース、連続気泡発泡体（open-cell foam）、磁石、及び繊維からなる群から選択される基材へ固定又は塗布される、請求項６に記載の方法。
【請求項１０】
前記複数の硬質のポリマービーズが、生物学的サンプルに混合される、請求項６に記載の方法。
【請求項１１】
前記少なくとも１つの多糖類吸着剤が、ヘパリン、ヘパランサルフェート、マンノース、デキストランサルフェート、ヒアルロン酸、サリチル酸、キトサン、及びそれらの組合せからなる群から選択されるメンバーである、請求項７に記載の方法。
【請求項１２】
前記マンノースが、Ｄ−マンノース又はＤ−マンノースポリマーである；又は前記少なくとも１つの多糖類吸着剤が、ヘパリン及びマンノースである、請求項１１に記載の方法。
【請求項１３】
前記病原体が、プラスモディウム・ファルシパルム（Plasmodium falciparum）、プラスモディウム・ビバックス（Plasmodium vivax）、プラスモディウム・オバレ（Plasmodium ovale）、プラスモディウム・マラリエ（Plasmodium malariae）、エボラウイルス（ＥＢＯＶ）、フィロウイルス、フラビウイルス（Flaviviridae）、ストレプトコッカス・アウレウス（Streptococcus aureus）、大腸菌（Escherichia coli）、カルバペネム耐性エンテロバクター（ＣＲＥ）細菌、ＥＳＢＬ産生病原体、バンコマイシン耐性エンテロコッカス（ＶＲＥ）細菌、アシネトバクター・バウマンニ（Acinetobacter baumannii）、クレブシエラ・ニューモニエ（Klebsiella pneumoniae）、クレブシエラ・オキシトカ（Klebsiella oxytoca）、エンテロコッカス・フェカリス（Enterococcus faecalis）、エンテロコッカス・フェシウム（Enterococcus faecium）、カンジダ・アルビカンス（Candida albicans）、サイトメガロウイルス(ＣＭＶ)、アデノウイルス、単純ヘルペスウイルス１（ＨＳＶ１）、単純ヘルペスウイルス２（ＨＳＶ２）、及びこれらの任意の組合せからなる群から選択される；又は前記病原体がライム病ボレリア（Borrelia Burgdorferi）である、請求項１に記載の方法。
【請求項１４】
前記単離された感染性病原体を検出することをさらに含む、請求項１に記載の方法。
【請求項１５】
前記単離された感染性病原体の検出が、比色アッセイ、イムノアッセイ、酵素結合免疫吸着アッセイ（ＥＬＩＳＡ）、ＰＣＲベースアッセイ、病原体増殖アッセイ、又はそれらの組合せを含む、請求項１４に記載の方法。
【手続補正書】
【提出日】令和1年9月5日(2019.9.5)
【手続補正１】
【補正対象書類名】特許請求の範囲
【補正対象項目名】全文
【補正方法】変更
【補正の内容】
【特許請求の範囲】
【請求項１】
試料ガス入口（１２）と、基準ガス入口（１４）と、前記試料ガス入口（１２）および前記基準ガス入口（１４）の一方をガスセンサ（２４）に交互に接続するガス変調弁（１６）とを備えるガス検出システムにおいて、
前記ガス変調弁（１６）と前記ガスセンサ（２４）を接続するガス流路（２２）に選択的移送フィルタ（２８）が配置されていることを特徴とするガス検出システム。
【請求項２】
請求項１に記載のガス検出システムにおいて、前記フィルタ（２８）は、検出の妨げとなるガス種に対し、一または複数の標的ガスに対するフィルタリング時定数、および前記試料ガス入口（１２）と前記基準ガス入口（１４）との間における前記ガス変調弁（１６）の切替周期よりも顕著に長いフィルタリング時定数を有するガス検出システム。
【請求項３】
請求項１または２に記載のガス検出システムにおいて、前記選択的移送フィルタ（２８）が、界面活性材料、シガレットフィルタ材料、活性炭材料および／またはシリカゲルのうちの少なくとも１つを含む、または少なくとも１つから形成されるガス検出システム。
【請求項４】
請求項１から３のいずれか一項に記載のガス検出システムにおいて、前記ガスセンサ（２４）がメタン、エタン、プロパン、ブタン、またはＬＰＧガスを検出するように光学的に調節された赤外線センサ（２４）であるガス検出システム。
【請求項５】
請求項１から４のいずれか一項に記載のガス検出システムにおいて、前記ガスセンサ（２４）は、非分散型赤外線センサ（２４）と、少なくとも１つの付加的なガスセンサ（２４）との組合せであるガス検出システム。
【請求項６】
請求項１から５のいずれか一項に記載のガス検出システムを用いたガス検出方法であって、前記ガス変調弁（１６）が、前記基準ガス入口（１４）および前記試料ガス入口（１２）を、前記選択的移送フィルタ（２８）を介して前記ガスセンサ（２４）につながる前記ガス流路（２２）に交互に接続することを含む方法。
【請求項７】
請求項６に記載のガス検出方法において、前記選択的移送フィルタ（２８）の前記フィルタリング時定数が、前記一または複数の標的ガスに対する前記フィルタリング時定数およびガス変調周期の５倍よりも長い方法。
【請求項８】
請求項６または７に記載のガス検出方法において、前記試料ガス入口（１４）と前記基準ガス入口（１２）との間で切り替えが行われたとき、前記選択的移送フィルタ（２８）が、前記ガスの特定の特性における変化を遅くするローパスフィルタとして使用される方法。  
【手続補正２】
【補正対象書類名】明細書
【補正対象項目名】００３２
【補正方法】変更
【補正の内容】
【００３２】
選択的移送フィルタ２８により、ガスセンサ２４の測定信号はほぼ一定の低いレベルに保たれ、ガス変調弁１６が試料ガス入口１２に切り替わるサイクルの間において僅かな上昇のみが生じる。
なお、本発明は、実施の態様として以下の内容を含む。
〔態様１〕
試料ガス入口（１２）と、基準ガス入口（１４）と、前記試料ガス入口（１２）および前記基準ガス入口（１４）の一方をガスセンサ（２４）に交互に接続するガス変調弁（１６）とを備えるガス検出システムにおいて、
前記ガス変調弁（１６）と前記ガスセンサ（２４）を接続するガス流路（２２）に選択的移送フィルタ（２８）が配置されていることを特徴とするガス検出システム。
〔態様２〕
態様１に記載のガス検出システムにおいて、前記フィルタ（２８）は、検出の妨げとなるガス種に対し、一または複数の標的ガスに対するフィルタリング時定数、および前記試料ガス入口（１２）と前記基準ガス入口（１４）との間における前記ガス変調弁（１６）の切替周期よりも顕著に長い、好ましくは５倍より長いフィルタリング時定数を有するガス検出システム。
〔態様３〕
態様１または２に記載のガス検出システムにおいて、前記選択的移送フィルタ（２８）が、界面活性材料、シガレットフィルタ材料、活性炭材料および／またはシリカゲルのうちの少なくとも１つを含む、または少なくとも１つから形成されるガス検出システム。
〔態様４〕
態様１から３のいずれか一態様に記載のガス検出システムにおいて、前記ガスセンサ（２４）が赤外線センサ（２４）であり、好ましくは、メタン、エタン、プロパン、ブタン、またはＬＰＧガスを検出するように光学的に調節された非分散型赤外線センサ（２４）であるガス検出システム。
〔態様５〕
態様１から４のいずれか一態様に記載のガス検出システムにおいて、前記ガスセンサ（２４）は、非分散型赤外線センサ（２４）と、好ましくは他の検知原理に基づいた、少なくとも１つの付加的なガスセンサ（２４）との組合せであるガス検出システム。
〔態様６〕
態様１から５のいずれか一態様に記載のガス検出システムを用いたガス検出方法であって、前記ガス変調弁（１６）が、前記基準ガス入口（１４）および前記試料ガス入口（１２）を、前記選択的移送フィルタ（２８）を介して前記ガスセンサ（２４）につながる前記ガス流路（２２）に交互に接続することを含む方法。
〔態様７〕
態様６に記載のガス検出方法において、前記選択的移送フィルタ（２８）の前記フィルタリング時定数が、前記一または複数の標的ガスに対する前記フィルタリング時定数およびガス変調周期よりも顕著に長く、好ましくは５倍よりも長い方法。
〔態様８〕
態様６または７に記載のガス検出方法において、前記試料ガス入口（１４）と前記基準ガス入口（１２）との間で切り替えが行われたとき、前記選択的移送フィルタ（２８）が、前記ガスの特定の特性（例えば湿度）における変化を遅くするローパスフィルタとして使用される方法。
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
細胞試料の品質状態を評価する自動化法であって：
（ａ）細胞試料の中赤外分光（ＭＩＲ）スペクトル（２２０）（試験スペクトル）において、品質シグネチャー（２２１）を同定し；そして
（ｂ）分類（２１１）または定量化（２３１）アルゴリズムを試験スペクトル中の品質シグネチャーに適用して、細胞試料の品質状態を決定する、ここで該細胞試料が固定細胞試料であり、該品質状態が固定状態であり、そして該品質シグネチャーが固定シグネチャーである
工程を含む、前記方法。
【請求項２】
試験スペクトル中の固定シグネチャーと、少なくとも１つの参照ＭＩＲスペクトル（参照スペクトル）中の固定シグネチャーの間に、相違が存在するかどうかを決定することによって、該試験スペクトル中の固定シグネチャーを固定組織試料の固定状態と相関させる、請求項１の方法。
【請求項３】
前記少なくとも１つの参照スペクトルが、許容可能に固定された組織試料と相関する、請求項２の方法。
【請求項４】
固定シグネチャーにおける前記相違が、二次微分スペクトルにおける１６１５ｃｍ−１〜１６４０ｃｍ−１の間の振幅および／またはピーク位の変化である、請求項２または請求項３の方法。
【請求項５】
多変数評価法において、固定シグネチャーにおける相違が、１６１５ｃｍ−１〜１６４０ｃｍ−１の間のスペクトルシフトまたは振幅変化に基づく、請求項２または請求項３の方法。
【請求項６】
前記固定組織試料が、架橋固定剤で固定されている、請求項４または請求項５の方法。
【請求項７】
前記試験スペクトルが、量子カスケードレーザー（ＱＣＬ）に基づく顕微鏡によって得られる、前述の請求項のいずれかの方法。
【請求項８】
前記試験スペクトル（２２０）が３０分またはそれ未満で得られる、請求項７の方法。
【請求項９】
前記試験スペクトルが、ワックス包埋細胞試料から、脱ワックス前または脱ワックス後に得られる、請求項７または８の方法。
【請求項１０】
前記試料が低温凍結試料であり、そして試験スペクトルが融解前または後のいずれかに得られる、請求項７または８の方法。
【請求項１１】
前記品質状態を、細胞試料の１またはそれより多い視野内の複数の位置で評価する、請求項１〜１０のいずれかの方法。
【請求項１２】
（ｃ）細胞試料の１またはそれより多い視野内の複数の位置各々で評価した品質状態を、視野のデジタル画像にマッピングする
工程をさらに含む、請求項１１の方法。
【請求項１３】
（ｄ）あらかじめ定義した品質状態を満足する視野の総面積を自動的に計算する
工程をさらに含む、請求項１１または１２の方法。
【請求項１４】
前述の請求項のいずれかの方法であって：
前記固定状態は過少固定、過剰固定、または許容可能固定に分類され、該方法は以下：
（ｃ）該試料が過剰固定または過少固定と決定された場合、１またはそれより多い是正組織プロセスを実行し、そして許容可能に固定された組織試料が得られるまで、（ａ）〜（ｃ）を反復し、ここで該是正組織プロセスは：
（ｃ１）過少固定組織試料のさらなる固定；または
（ｃ２）過剰組織試料の拒絶および新規試料の獲得
を含む；そして
（ｄ）許容可能に固定された組織試料に対する標識プロセスを実行する
の工程を含む、前記方法。
【請求項１５】
細胞試料品質の自動化分析のためのシステム（１００）であって、プロセッサ（２００）およびメモリを含み、メモリが解釈可能な命令を含み、該命令が、プロセッサによって実行された際、プロセッサに：
（ａ）特徴抽出機能（２１０）を実行して、細胞試料の中赤外分光（ＭＩＲ）スペクトル（２２０）（試験スペクトル）から、品質シグネチャーの特徴（２２１）を抽出し；そして
（ｂ）分類子機能を実行して、前記試験スペクトルから抽出された品質シグネチャーの特徴に、分類（２１１）または定量化（２３１）アルゴリズムを適用する、ここで該分類または定量化アルゴリズムは、品質シグネチャーが細胞試料の複数のあらかじめ定義された品質状態の１つの指標となる可能性の指標となる、信頼スコアを計算する、ここで該細胞試料が固定細胞試料であり、該品質状態が固定状態であり、そして該品質シグネチャーが固定シグネチャーである、
工程を含む方法を実行させる、前記システム。
【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
対応する色に関連付けられた一連のフィールドの各々について、前記対応する色に対応するパターンに従って光を空間変調するよう撮像素子を設定する段階と、前記撮像素子を前記対応する色の光で照射する段階とを備え、
前記撮像素子を前記対応する色の光で照射する段階は、前記撮像素子上の所望の位置へ前記対応する色の光をステアリングする働きをする位相パターンを提供するよう制御される位相変調器上へと前記対応する色の前記光を向ける段階を有し、
前記位相変調器は、前記一連のフィールドが示される周波数未満の周波数でリフレッシュされる、
カラー画像を投影するための方法。
【請求項２】
別々の位相変調器が、複数の前記対応する色の各々について設けられ、
前記方法は、前記複数の対応する色のうちの１つに対応する、複数の前記位相変調器のうちの１つを、前記複数の対応する色のうちの異なる１つに対応するフィールド中にリフレッシュする段階を備える、
請求項１に記載の方法。
【請求項３】
前記位相変調器の別個の領域が、複数の前記対応する色の各々に関連付けられ、
前記撮像素子を前記対応する色の光で照射する段階は、前記対応する色に関連付けられた前記位相変調器の前記別個の領域が、前記撮像素子上の所望の位置へ前記対応する色の光をステアリングする働きをする前記位相パターンを提供するよう制御されている間、前記対応する色に関連付けられた前記位相変調器の前記別個の領域を照射するように前記対応する色の前記光を向ける段階を有する、
請求項１に記載の方法。
【請求項４】
前記複数の対応する色のうちの１つに対応する、前記位相変調器の複数の前記別個の領域のうちの１つを、前記複数の対応する色のうちの異なる１つに対応するフィールド中にリフレッシュする段階を備える、
請求項３に記載の方法。
【請求項５】
複数の前記別個の領域は異なるサイズを有する、
請求項３に記載の方法。
【請求項６】
前記複数の対応する色は青色を含み、青色に関連付けられた、前記複数の別個の領域のうちの１つは、前記複数の別個の領域のうちの他の少なくとも１つよりも大きい、
請求項５に記載の方法。
【請求項７】
前記複数の対応する色は緑色を含み、緑色に関連付けられた、前記複数の別個の領域のうちの１つは、前記複数の別個の領域のうちの他の少なくとも１つよりも大きい、
請求項５に記載の方法。
【請求項８】
表示されている画像における前記複数の対応する色についての相対的な電力レベルに基づいて、前記複数の別個の領域の相対的なサイズを制御する段階を備える、
請求項５に記載の方法。
【請求項９】
前記複数の対応する色のうちのいくつかまたは全てを、前記位相変調器の複数の前記別個の領域のうちの異なるものに周期的に再び割り当てる段階を備える、
請求項３に記載の方法。
【請求項１０】
前記一連のフィールドは、一連のフレームの各々において１回繰り返し、
前記方法は、前記一連のフレームの各々において、前記複数の対応する色のうちのいくつかまたは全てを、前記位相変調器の複数の前記複数の別個の領域のうちの異なるものに再び割り当てる段階を備える、
請求項９に記載の方法。
【請求項１１】
複数の前記対応する色の各々について同じ位相パターンが用いられる、
請求項１に記載の方法。
【請求項１２】
前記位相変調器は、作動領域を有し、
前記撮像素子を前記対応する色の光で照射する段階は、前記対応する色の光を、実質的に前記位相変調器の前記作動領域の全てに向ける段階を有する、
請求項１１に記載の方法。
【請求項１３】
前記複数の対応する色の各々の光を、前記位相変調器へ入射する異なる角度に向ける段階を備える、
請求項１１に記載の方法。
【請求項１４】
前記複数の対応する色の各々の前記光は、前記位相変調器から異なる距離で、または、前記位相変調器に対し異なる向きで画像を形成し、
当該方法は、前記複数の対応する色の各々の前記光により形成される複数の前記画像を合成する段階を備える、
請求項１３に記載の方法。
【請求項１５】
前記複数の対応する色の各々の光を並行して前記位相変調器に向ける段階を備える、
請求項１１に記載の方法。
【請求項１６】
前記複数の対応する色の各々の前記光のコリメーションを修正して前記撮像素子に対して同じ点に画像を形成する段階を備える、
請求項１５に記載の方法。
【請求項１７】
前記撮像素子を前記対応する色の光で照射する段階は、前記対応する色の追加の光を、前記位相変調器によりステアリングされた前記光と合成する段階をさらに有する、
請求項１から１６のいずれか一項に記載の方法。
【請求項１８】
前記追加の光を、前記位相変調器によりステアリングされた前記光と合成する段階により、前記撮像素子を共通の方向から照射する光ビームが生成される、
請求項１７に記載の方法。
【請求項１９】
前記位相変調器によりステアリングされた前記光は、第１偏光を有し、前記追加の光は、前記第１偏光とは異なる第２偏光を有し、前記位相変調器によりステアリングされた前記光は、偏光ビームスプリッタにおいて前記追加の光と合成される、
請求項１７または１８に記載の方法。
【請求項２０】
カラー画像を投影するための装置であって、
各々が、対応する色に関連付けられ、かつ、前記対応する色の光源を有する複数の色チャネルと、
少なくとも１つの位相変調器と、
撮像素子と、
前記少なくとも１つの位相変調器による位相変調を含む経路により前記撮像素子を照射するように、前記複数の色チャネルの各々の前記光源からの光を向けるよう配置された光学素子と、
各々が前記複数の色チャネルのうちの１つの前記対応する色に関連付けられた一連のフィールド内で画像を投影するよう前記光源と、前記少なくとも１つの位相変調器と、前記撮像素子とを制御するために接続された制御システムであって、前記フィールドにおいて、前記対応する色に対応するパターンに従って光を空間変調するよう前記撮像素子を設定する働きをし、かつ、前記少なくとも１つの位相変調器により位相変調され、前記撮像素子上へと向けられる光を発するよう前記対応する色の前記光源を制御する働きをする制御システムと
を備え、
前記制御システムはさらに、前記一連のフィールドが示される周波数未満の周波数で前記少なくとも１つの位相変調器が前記光を前記複数の色チャネルの各々に変調する位相パターンをリセットする、
装置。
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
複数の時分割複信(TDD)サブフレームを含むTDDキャリアを利用するワイヤレス通信向けに構成される装置であって、
トランシーバと、
メモリと、
前記トランシーバおよび前記メモリに通信可能に結合される少なくとも1つのプロセッサであって、
前記トランシーバを利用して、TDDサブフレームの構造を調整するかどうかを指示するように構成される情報を含むシグナリングを受信することと、
前記情報が前記TDDサブフレームの前記構造を調整することを指示する場合に、前記シグナリングを受信したことに応答して前記TDDサブフレームの前記構造を調整することと
を行うように構成される、少なくとも1つのプロセッサと
を備え、
前記TDDサブフレームの前記構造を前記調整することは、前記TDDサブフレームにおいて通信される1つまたは複数の基準信号用に割り振られる時間またはサブキャリアを調整することを含み、
前記1つまたは複数の基準信号は、ユーザ機器(UE)固有基準信号(UERS)、チャネル状態情報基準信号(CSI-RS)、またはサウンディング基準信号(SRS)のうちの少なくとも1つを含む、装置。
【請求項２】
前記TDDサブフレームの前記構造を前記調整することは、前記TDDサブフレームにおいて通信される1つまたは複数の制御チャネル用に割り振られる時間またはサブキャリアを調整することを含む、請求項1に記載の装置。
【請求項３】
前記TDDサブフレームの前記構造を前記調整することは、前記TDDサブフレームにおいて通信されるデータ用に割り振られる時間またはサブキャリアを調整することを含む、請求項1に記載の装置。
【請求項４】
前記TDDサブフレームの前記構造を前記調整することは、前記1つまたは複数の基準信号が通信される時間を他のTDDサブフレームの復調基準信号(DMRS)が別の装置によって通信される時間に整合するように調整することを含む、請求項1に記載の装置。
【請求項５】
前記TDDサブフレームの前記通信は、前記他のTDDサブフレームの前記通信と少なくとも部分的に同時に行われる、請求項4に記載の装置。
【請求項６】
前記少なくとも1つのプロセッサは、
前記1つまたは複数の基準信号が前記DMRSに直交するときに前記1つまたは複数の基準信号をリンク間マルチユーザ多入力多出力(MU-MIMO)に利用するようにさらに構成される、請求項4に記載の装置。
【請求項７】
前記情報は、制御チャネルにおいて搬送される制御情報を含む、請求項1に記載の装置。
【請求項８】
前記情報はサービス品質(QoS)に対応する、請求項1に記載の装置。
【請求項９】
前記TDDサブフレームはダウンリンク(DL)セントリックTDDサブフレームを含む、請求項1に記載の装置。
【請求項１０】
前記TDDサブフレームは、アップリンク(UL)セントリックTDDサブフレームを含む、請求項1に記載の装置。
【請求項１１】
複数の時分割複信(TDD)サブフレームを含むTDDキャリアを利用するワイヤレス通信の方法であって、
TDDサブフレームの構造を調整するかどうかを指示するように構成される情報を含むシグナリングを受信するステップと、
前記情報が前記TDDサブフレームの前記構造を調整することを指示する場合に、前記シグナリングを受信したことに応答して前記TDDサブフレームの前記構造を調整するステップと
を含み、
前記TDDサブフレームの前記構造を前記調整するステップは、前記TDDサブフレームにおいて通信される1つまたは複数の基準信号用に割り振られる時間またはサブキャリアを調整するステップを含み、
前記1つまたは複数の基準信号は、ユーザ機器(UE)固有基準信号(UERS)、チャネル状態情報基準信号(CSI-RS)、またはサウンディング基準信号(SRS)のうちの少なくとも1つを含む、方法。
【請求項１２】
前記TDDサブフレームの前記構造を前記調整するステップは、前記TDDサブフレームにおいて通信される1つまたは複数の制御チャネル用に割り振られる時間またはサブキャリアを調整するステップを含む、請求項11に記載の方法。
【請求項１３】
前記TDDサブフレームの前記構造を前記調整するステップは、前記TDDサブフレームにおいて通信されるデータ用に割り振られる時間またはサブキャリアを調整するステップを含む、請求項11に記載の方法。
【請求項１４】
前記情報は、制御情報を含み、かつサービス品質(QoS)に対応し、
前記TDDサブフレームは、ダウンリンク(DL)セントリックTDDサブフレームまたはアップリンク(UL)セントリックTDDサブフレームの少なくとも一方を含む、
請求項11に記載の方法。
【請求項１５】
請求項11〜14のいずれか一項に記載の方法を実行するための命令を含むコンピュータプログラム。
【手続補正書】
【提出日】令和1年8月9日(2019.8.9)
【手続補正１】
【補正対象書類名】特許請求の範囲
【補正対象項目名】全文
【補正方法】変更
【補正の内容】
【特許請求の範囲】
【請求項１】
シーケンスライブラリーの調製方法であって、
（ａ）  核酸を含む試料へのクロマチン結合剤の添加；
（ｂ）  前記剤が結合したクロマチンの単離；
（ｃ）  工程（ｂ）の単離クロマチンへのトランスポザーゼの添加；
（ｄ）  クロマチンからの核酸の単離；および
（ｅ）  シーケンスライブラリーの入手、
を含む方法。
【請求項２】
核酸を含む分子間の相互作用のマッピング方法であって、
（ａ）  核酸を含む試料へのクロマチン結合剤の添加；
（ｂ）  前記剤が結合したクロマチンの単離；
（ｃ）  工程（ｂ）の単離クロマチンへのトランスポザーゼの添加；
（ｄ）  クロマチンからの核酸の単離；
（ｅ）  核酸の増幅；
（ｆ）  増幅された核酸の配列決定；および
（ｇ）  分子間相互作用の特定、
を含む方法。
【請求項３】
結合剤が抗体である、請求項１または２に記載の方法。
【請求項４】
核酸を含む試料が、
（ｉ）  細胞の培養および回収；
（ｉｉ）  細胞の固定；
（ｉｉｉ）  細胞の溶解およびそれによる核酸を含む第一試料の入手；並びに
（ｉｖ）  第一試料の超音波処理およびそれによる、第１項または第２項に記載の方法で使用されるべき、核酸を含む第二試料の入手、
によって調製された、請求項１〜３に記載の方法。
【請求項５】
細胞固定中に導入された架橋結合を外す工程をさらに含む、請求項１〜４に記載の方法。
【請求項６】
核酸が、ＤＮＡである、請求項１〜５のいずれか一項に記載の方法。
【請求項７】
細胞が、核酸−タンパク質複合体を含む、請求項４〜６のいずれか一項に記載の方法。
【請求項８】
細胞が、ヒト細胞、動物細胞、細菌細胞、酵母細胞、古細菌細胞、植物細胞またはウイルスである、請求項７に記載の方法。
【請求項９】
ヒト細胞または動物細胞が、疾患細胞もしくは非疾患細胞、または疾患組織由来細胞もしくは非疾患組織由来細胞である、および／または、ヒト細胞または動物細胞が、がん細胞、免疫細胞、血液細胞または幹細胞である、請求項８に記載の方法。
【請求項１０】
がんが、固形がんまたは血液がんであり、好ましくは、前記血液がんが、白血病であるか、または、固形がんが、腫瘍である、請求項９に記載の方法。
【請求項１１】
工程（ｉｉ）が、化学物質の添加および／または物理的手段を含む、および／または、工程（ｉｖ）が、核酸断片の大部分が２０〜５０００塩基対長、好ましくは２００〜３００塩基対長になるまでの超音波処理を含む、請求項４に記載の方法。
【請求項１２】
抗体が、ヒストン、転写因子、またはヒストンおよび／もしくは転写因子に結合しているタンパク質に特異的に結合する、請求項１または２に記載の方法。
【請求項１３】
ヒストンおよび／または転写因子に結合しているタンパク質が、核酸リモデリングタンパク質またはクロマチン修飾酵素であり、好ましくは、ヒストンが、Ｈ３．３、Ｈ２Ａ．Ｚ、ＣＥＮＰ−Ａ、Ｈ３．２、Ｈ３．３Ａ、Ｈ３．３Ｂ、Ｈ４またはＨ３．１であり、好ましくは、ヒストンが、修飾ヒストンであり、修飾がメチル化、アセチル化、プロピオニル化、ブチリル化、クロトニル化、２−ヒドロキシイソブチリル化、マロニル化、サクシニル化および／またはリボシル化であり、好ましくは、修飾ヒストンが、Ｈ３Ｋ４ｍｅ１／２／３、Ｈ２ＢＫ５ｍｅ１、Ｈ３Ｋ２７ｍｅ１／２／３、Ｈ３Ｋ９ｍｅ１／２／３、Ｈ４Ｋ２０ｍｅ１、Ｈ３Ｋ７９ｍｅ１、Ｈ３Ｋ３６ｍｅ３、Ｈ２ＡＫ５ａｃ、Ｈ２ＡＫ９ａｃ、Ｈ２ＢＫ５ａｃ、Ｈ２ＢＫ１２ａｃ、Ｈ２ＢＫ２０ａｃ、Ｈ２ＢＫ１２０ａｃ、Ｈ３Ｋ４ａｃ、Ｈ３Ｋ９ａｃ、Ｈ３Ｋ１４ａｃ、Ｈ３Ｋ１８ａｃ、Ｈ３Ｋ２３ａｃ、Ｈ３Ｋ２７ａｃ、Ｈ３Ｋ３６ａｃ、Ｈ４Ｋ５ａｃ、Ｈ４Ｋ８ａｃ、Ｈ４Ｋ１２ａｃ、Ｈ４Ｋ１６ａｃ、Ｈ４Ｋ９１ａｃ、Ｈ２ＡｕｂまたはＨ２Ｂｕｂである、請求項１２に記載の方法。
【請求項１４】
結合剤が、化学物質であり、好ましくは、化学物質が、薬剤またはツール化合物（tool compound）であり、好ましくは、化学物質が、ビオチン化されている、請求項１または２に記載の方法。
【請求項１５】
トランスポザーゼが、ランダムＤＮＡ配列タグまたは所定ＤＮＡ配列タグを含み、好ましくは、トランスポザーゼが、Ｔｎ５トランスポザーゼである、請求項１または２に記載の方法。